(57)【要約】【課題】作業性が良好な部品取り外し治具を提供する。【解決手段】把持部４と、リレー２を保持する一対の保持部５と、把持部４と一対の保持部５とを連結し、弾性変形可能な保持解除部６と、保持解除部６の弾性変形を規制する変形規制部７と、リレー２と収容部材３との係止を解除する係止解除部８と、リレー取り外し治具１に保持されたリレー２が取り外し方向Ｙに移動することを規制する移動規制部９と、を備え、一対の保持部５は、互いに離れる方向に延びて、撓み変形可能な片持ちアーム状に形成され、端部５１と、互いに近づく方向に突出して、下側からリレー２を支持する突出部５２と、を有し、保持解除部６が弾性変形した際と、突出部５２が下方から上方に押圧された際と、において、端部５１が互いに離れる方向かつ上方に撓み変形するように構成されている。【選択図】図１
2015051486.tif 000002
【特許請求の範囲】
【請求項１】
部品が取り付けられた収容部から該部品を取り外すための部品取り外し治具であって、
把持部と、
前記部品を保持する一対の保持部と、
前記把持部と前記一対の保持部とを連結するとともに、前記部品を取り外す取り外し方向と交差する方向に弾性変形可能な保持解除部と、を備え、
前記一対の保持部は、撓み変形可能な片持ちアーム状に形成され、前記保持解除部に連結されていない端部には、それぞれ、互いに近づく方向に向かって突出して、前記取り外し方向とは反対側から前記部品を支持する突出部が形成され、
前記一対の保持部は、前記保持解除部が弾性変形する際と、前記取り外し方向に沿って前記突出部が前記把持部とは反対側から押圧される際と、において、互いに離れる方向に撓み変形可能に構成されている
ことを特徴とする部品取り外し治具。
【請求項２】
前記保持解除部の弾性変形を規制する変形規制部が設けられている
ことを特徴とする請求項１に記載の部品取り外し治具。
【請求項３】
前記保持解除部が、二枚の撓み変形可能な板で構成され、当該板が前記変形規制部に当接可能である
ことを特徴とする請求項２に記載の部品取り外し治具。
【請求項４】
前記部品が前記収容部に係止される係止部を有する部品であって、
前記収容部に係止された前記部品と該収容部との係止を解除する係止解除手段をさらに備えている
ことを特徴とする請求項１〜３のいずれか１項に記載の部品取り外し治具。
【請求項５】
前記部品が前記突出部に支持されている状態で、前記部品が前記取り外し方向に移動することを規制する移動規制部が設けられている
ことを特徴とする請求項１〜４のいずれか１項に記載の部品取り外し治具。
【請求項６】
前記一対の保持部の対向方向において、前記把持部の幅は、前記一対の保持部の外側寸法よりも小さく形成されている
ことを特徴とする請求項１〜５のいずれか１項に記載の部品取り外し治具。
【発明の詳細な説明】
【技術分野】
【０００１】
本発明は、部品が取り付けられた収容部から該部品を取り外すための部品取り外し治具に関する。
【背景技術】
【０００２】
従来、電気接続箱のフレーム等に取り付けられた部品を取り外す際、ラジオペンチ等の工具を用いて抉りながら取り外すと、取り外された部品が破損する場合があることから、破損しないように取り外すための部品取り外し治具が種々提案されている（例えば、特許文献１参照）。
【０００３】
例えば、特許文献１には、両側から二本垂下した脚部と、脚部に形成されてヒューズに係止する係止用爪部と、を有する部品取り外し治具を用いて、前記係止用爪部を収容部に取り付けられたヒューズに係止させて引き抜くことにより、ヒューズを収容部から取り外すことが開示されている。
【先行技術文献】
【特許文献】
【０００４】
【特許文献１】特開２００４−２８１０７８号公報
【発明の概要】
【発明が解決しようとする課題】
【０００５】
しかしながら、特許文献１に記載の従来の部品取り外し治具は、収容部から部品を取り外した後に、部品取り外し治具から部品を取り外すことは考慮されておらず、例えば、取り外し治具の２本の脚部を両手で広げることによりヒューズの保持を解除する必要があるため、作業性が悪いという問題があった。
【０００６】
従って、本発明は、上記のような問題点に着目し、作業性が良好な部品取り外し治具を提供することを目的とする。
【課題を解決するための手段】
【０００７】
請求項１に記載された発明は、部品が取り付けられた収容部から該部品を取り外すための部品取り外し治具であって、把持部と、前記部品を保持する一対の保持部と、前記把持部と前記一対の保持部とを連結するとともに、前記部品を取り外す取り外し方向と交差する方向に弾性変形可能な保持解除部と、を備え、前記一対の保持部は、撓み変形可能な片持ちアーム状に形成され、前記保持解除部に連結されていない端部には、それぞれ、互いに近づく方向に向かって突出して、前記取り外し方向とは反対側から前記部品を支持する突出部が形成され、前記一対の保持部は、前記保持解除部が弾性変形する際と、前記取り外し方向に沿って前記突出部が前記把持部とは反対側から押圧される際と、において、互いに離れる方向に撓み変形可能に構成されていることを特徴とする部品取り外し治具である。
【０００８】
請求項２に記載された発明は、請求項１に記載された発明において、前記保持解除部の弾性変形を規制する変形規制部が設けられていることを特徴とするものである。
【０００９】
請求項３に記載された発明は、請求項２に記載された発明において、前記保持解除部が、二枚の撓み変形可能な板で構成され、当該板が前記変形規制部に当接可能であることを特徴とするものである。
【００１０】
請求項４に記載された発明は、請求項１〜３のいずれか１項に記載された発明において、前記部品が前記収容部に係止される係止部を有する部品であって、前記収容部に係止された前記部品と該収容部との係止を解除する係止解除手段をさらに備えていることを特徴とするものである。
【００１１】
請求項５に記載された発明は、請求項１〜４のいずれか１項に記載された発明において、前記部品が前記突出部に支持されている状態で、前記部品が前記取り外し方向に移動することを規制する移動規制部が設けられていることを特徴とするものである。
【００１２】
請求項６に記載された発明は、請求項１〜５のいずれか１項に記載された発明において、前記一対の保持部の対向方向において、前記把持部の幅は、前記一対の保持部の外側寸法よりも小さく形成されていることを特徴とするものである。
【発明の効果】
【００１３】
請求項１に記載の発明によれば、一対の保持部の端部には、それぞれ部品を支持する突出部が形成され、突出部が把持部とは反対側から押圧されることにより、一対の保持部が互いに離れる方向に撓み変形可能に構成されていることから、把持部を把持して部品取り外し治具を部品に押圧する押圧操作を行うことにより、突出部が部品に押圧されて一対の保持部が撓み変形して部品の端縁よりも広がる。これにより、突出部への押圧力が無くなるために、一対の保持部が自然状態に復帰するとともに、突出部が取り外し方向とは反対側から前記部品を支持することにより、部品が保持される。さらに、把持部を把持したまま、押圧方向とは反対側の取り外し方向に部品取り外し治具を移動させる引き抜き操作を行うことにより、部品取り外し治具に部品を保持させたまま取り外すことができる。よって、例えば、押圧操作と引き抜き操作の間に把持部を持ちかえたりすることなく、部品への押圧操作と引き抜き操作のみにより、収容部に収容された部品を取り外すことができる。また、保持解除部が、取り外し方向と交差する方向に弾性変形することにより、一対の保持部が互いに離れる方向に撓み変形するように構成されていることから、部品取り外し治具から部品を取り外す際に、例えば、手で押圧する等の簡易な操作で保持解除部を弾性変形させることにより、両手で一対の保持部を互いに離れる方向に広げることなく、部品の保持を解除させることができ、部品取り外し治具から部品を容易に取り外すことができる。さらに、収容部から部品を取り外す作業と、部品取り外し治具から部品を取り外す作業とは、どちらも片手で行うことができる。従って、作業性が良好な部品取り外し治具を提供することができる。
【００１４】
請求項２，３に記載の発明によれば、保持解除部には、保持解除部の弾性変形を規制する変形規制部が設けられていることから、保持解除部が過度に変形して塑性変形することを防止し、保持解除部が弾性範囲内で変形するように、保持解除部の変形を規制することができる。
【００１５】
請求項４に記載の発明によれば、収容部と部品との係止を解除する係止解除手段をさらに備えていることから、部品を取り外す際に、収容部と部品との係止を解除しつつ収容部から部品を取り外すことができ、作業性をより向上させることができる。
【００１６】
請求項５に記載の発明によれば、部品が突出部に支持されている状態で、部品が取り外し方向に移動することを規制する移動規制部が設けられていることから、部品を収容部から取り外す際に、突出部と移動規制部とで部品をより確実に保持することができ、部品を取り外す際の作業性をより向上させることができる。
【００１７】
請求項６に記載の発明によれば、把持部の幅が一対の保持部の外側寸法よりも小さく形成されていることから、一対の保持部の外側寸法、すなわち、部品の外側寸法よりも内側において把持部を把持することができ、狭い空間に部品が収容されている場合においても、部品を取り外すことができる。
【図面の簡単な説明】
【００１８】
【図１】本発明の一実施形態にかかるリレー取り外し治具を示す斜視図である。
【図２】図１に示されたリレー取り外し治具を示す図であり、（ａ）は正面図であり、（ｂ）は側面図である。
【図３】図１に示されたリレー取り外し治具が用いられるリレーと収容部材とを示す断面図である。
【図４】図３に示されたリレーを示す斜視図である。
【図５】図３に示された収容部材を示す平面図である。
【図６】図１に示されたリレー取り外し治具がリレーを保持した状態を示す斜視図である。
【図７】図１に示されたリレー取り外し治具がリレーを保持するとともに、収容部材とリレーとの係止を解除した状態を示す斜視図である。
【図８】図７におけるリレー取り外し治具とリレーのみを示す斜視図である。
【図９】図８の要部を拡大した拡大斜視図である。
【発明を実施するための形態】
【００１９】
以下、本発明の一実施形態を図１〜９を参照して説明する。本実施形態において、取り外し対象となる部品をリレーとしたリレー取り外し治具１（請求項の「部品取り外し治具」に相当する。）は、例えば図３に示すリレー２（請求項の「部品」に相当する。公知ではないが、本願出願人が特許出願中のリレーである。）を不図示の電気接続箱のフレームに取り付けられた収容部材３（請求項の「収容部」に相当する。）から取り外すための治具として用いられる。本実施形態において、リレー２は収容部材３に取り付けられている。なお、本実施形態において、図中の矢印Ｘで示す方向をリレー取り外し治具１の幅方向Ｘとし、図中の矢印Ｙで示す方向をリレー取り外し治具１の取り外し方向Ｙとし、取り外し方向Ｙとは逆向きの図中の矢印Ｙ’で示す方向をリレー取り外し治具１の押圧方向Ｙ’とする。取り外し方向Ｙにおける上下は、図１の紙面方向の上下を基準とする。
【００２０】
リレー取り外し治具１は、合成樹脂で構成され、図１，２に示すように、把持部４と、リレー２を保持する一対の保持部５と、把持部４と一対の保持部５とを連結し、幅方向Ｘに弾性変形可能な保持解除部６と、保持解除部６の弾性変形を規制する変形規制部７と、リレー２と収容部材３との係止を解除する係止解除部８と、リレー取り外し治具１に保持されたリレー２が取り外し方向Ｙに移動することを規制する移動規制部９と、を備えている。
【００２１】
把持部４は、保持解除部６から取り外し方向Ｙに延びて形成され、幅方向Ｘにおいて、一対の保持部５の外側寸法よりも細く形成されている。
【００２２】
一対の保持部５は、それぞれ、保持解除部６から把持部４と反対側かつ互いに離れる方向に延びて、撓み変形可能な片持ちアーム状に形成されている。保持解除部６に連結されていない端部５１には、幅方向Ｘかつ互いに近づく方向に向かって突出して、下方から取り外し方向Ｙにリレー２を支持する爪状の突出部５２が形成されている。さらに、一対の保持部５は、突出部５２が押圧された際に、端部５１が互いに離れる方向かつ上方に撓み変形するように構成されている。
【００２３】
保持解除部６は、取り外し方向Ｙに平行に設けられて、それぞれ幅方向Ｘに撓み変形可能な板状部材である一対の保持解除部本体６１で構成されている。一対の保持解除部本体６１が互いに近づく方向に撓み変形することにより、一対の保持部５は、端部５１が互いに離れる方向かつ上方に撓み変形するように構成されている。また、一対の保持解除部本体６１は、撓み変形した際に、後述する変形規制部７の規制辺部７１に当接可能に構成されている。
【００２４】
変形規制部７は、一対の保持解除部本体６１が過度に変形して塑性変形することを防止するために、一対の保持解除部本体６１の変形する幅を規制する。変形規制部７は、一対の保持解除部本体６１の間に把持部４と連なって略四角形状に形成され、取り外し方向Ｙに平行な一対の規制辺部７１を有している。
【００２５】
係止解除部８（請求項の「係止解除手段」に相当する。）は、リレー２と収容部材３との間に挿入されて、リレー２と収容部材３との係止を解除する係止解除片８１と、リレー取り外し治具１の挿入位置をガイドする位置決め片８２と、を有している。係止解除片８１及び位置決め片８２は、幅方向Ｘに沿って並んで設けられている。係止解除片８１は、下端部が後述するリレー２の係止突起２４に当接するように二又状に形成されている。
【００２６】
移動規制部９は、端部５１に連なって設けられた第一移動規制部９１と、一対の保持部５の中途からそれぞれ下方に延びた第二移動規制部９２と、を有している。第一移動規制部９１は、突出部５２の上方に設けられ、突出部５２よりも内側に突出して形成されている。第二移動規制部９２は、一方が係止解除片８１に連なり、他方が位置決め片８２に連なって形成されている。突出部５２と第一移動規制部９１及び第二移動規制部９２とは、取り外し方向Ｙにおいて、後述するリレー２の板状部材２２の厚みとほぼ同じ距離に離れて設けられており、突出部５２との間に後述する板状部材２２の外縁部２２１を位置づける。また、第一移動規制部９１及び第二移動規制部９２は、リレー２が突出部５２に支持されている状態で、リレー２の後述する板状部材２２の上方に位置することにより、リレー２が取り外し方向Ｙに移動することを規制する。
【００２７】
リレー２は、図３，４に示すように、外形が直方体状のリレー本体２１と、リレー本体２１の上面２１ａに組み付けられる板状部材２２と、板状部材２２に保持されて板状部材２２から下方に延びるとともに、リレー本体２１の側面２１ｂ，２１ｃに対向する四つの端子部２３と、リレー本体２１の側面２１ｄに設けられた係止突起２４（請求項の「係止部」に相当する。）と、を有している。板状部材２２の外縁部２２１は、リレー本体２１よりも外方に突出している。
【００２８】
収容部材３は、図５に示すように、二つのリレー収容部３ａ，３ｂが設けられている。収容部３ａ，３ｂはそれぞれ、リレー本体２１を収容するリレー本体収容部３１と、端子部２３を収容する端子収容部３２と、係止突起２４が係止する変形自在な係止片３３と、を有して構成されている。
【００２９】
二つのリレー収容部３ａ，３ｂは、図５に示すように、点対称に配置されており、二つのリレー本体収容部３１は、二つの係止片３３によって区画されている。二つの係止片３３は、二つのリレー収容部３ａ，３ｂの境界部に配置されており、二つのリレー収容部３ａ，３ｂの並び方向に位置ずれしているとともに、前記並び方向と直交する方向に位置ずれしている。リレー収容部３ａに収容されたリレー２は、その係止突起２４が係止片３３ａと係止し、リレー収容部３ｂに収容されたリレー２は、その係止突起２４が係止片３３ｂと係止する。係止片３３ａ，３３ｂは、図５に示す矢印Ａ，Ｂの方向にそれぞれ変形可能に構成されている。係止片３３ａ，３３ｂが変形することにより、リレー収容部３ａ，３ｂに収容されたリレー２との係止が解除される。
【００３０】
次に、図６〜９を参照して、リレー取り外し治具１を用いてリレー収容部３ａに収容されたリレー２を取り外す方法について説明する。初めに、把持部４を把持してリレー取り外し治具１を押圧方向Ｙ’にリレー２の板状部材２２の上面に押圧する押圧操作を行う。この押圧操作により、突出部５２が板状部材２２に当接して取り外し方向Ｙに押圧され、一対の保持部５が互いに離れる方向かつ上方に撓み変形する。一対の保持部５の撓み変形に伴い、一対の保持部５の端部５１が板状部材２２の外縁部２２１よりも広がり、突出部５２への押圧力が無くなるために、一対の保持部５が自然状態に復帰するとともに、図６，９のように、突出部５２が下方から外縁部２２１を支持する。以上により、リレー２がリレー取り外し治具１に保持される。リレー２がリレー取り外し治具１に保持された状態において、第一移動規制部９１及び第二移動規制部９２は、板状部材２２の上方に位置している。
【００３１】
また、リレー取り外し治具１によるリレー２の保持と同時に、図７，８に示すように、リレー２と収容部材３との係止が解除される。リレー取り外し治具１が板状部材２２の上面に押圧される際に、係止片３３ｂとリレー２との間隙に位置決め片８２が挿通されてリレー取り外し治具１の挿入位置がガイドされるとともに、リレー２の係止突起２４と係止片３３ａとの間に係止解除片８１が挿入されて係止片３３ａが図５の矢印Ａで示すリレー収容部３ｂ側に変形することにより、係止突起２４と係止片３３ａとの係止が解除される。最後に、把持部４を把持したまま取り外し方向Ｙにリレー取り外し治具１を引き抜く引き抜き操作を行うことによりリレー２をリレー収容部３ａから取り外すことができる。また、引き抜き操作を行う際に、リレー２が突出部５２から離れて取り外し方向Ｙに移動しようとしても、第一移動規制部９１及び第二移動規制部９２に板状部材２２が当接して取り外し方向Ｙへの移動が規制されることにより、リレー２の保持が解除され難くなっている。
【００３２】
次にリレー取り外し治具１に保持されたリレー２を取り外す方法について説明する。保持解除部６の保持解除部本体６１を手で押圧するなどして、幅方向Ｘかつ互いに近づく方向に撓み変形させることにより、一対の保持部５の端部５１が互いに離れる方向に一対の保持部５が撓み変形して、突出部５２がリレー２の板状部材２２から離れる。以上により、リレー２の保持が解除され、リレー取り外し治具１からリレー２を取り外すことができる。
【００３３】
以上のような本実施形態によれば、一対の保持部５の端部５１に設けられた突出部５２がリレー２の板状部材２２に押圧されることにより、一対の保持部５が互いに離れる方向に撓み変形可能に構成されていることから、押圧操作によりリレー２を保持させることができる。さらに、リレー取り外し治具１を引き抜き操作することにより、リレー２を保持させたまま収容部材３からリレー２を取り外すことができる。従って、押圧操作と引き抜き操作のみにより、収容部材３に収容されたリレー２を取り外すことができる。また、保持解除部本体６１が互いに近づく方向に変形することにより、一対の保持部５が互いに離れる方向に撓み変形可能に構成されていることから、手で押圧する等の簡易な操作でリレー２の保持を解除することができる。さらに、収容部材３からリレー２を取り外す作業とリレー取り外し治具１からリレー２を取り外す作業とは、いずれも片手で行うことができる。
【００３４】
また、変形規制部７には、保持解除部本体６１が当接可能な規制辺部７１が設けられていることから、保持解除部本体６１が過度に変形して塑性変形することを防止し、保持解除部本体６１が弾性範囲内で変形するように、保持解除部本体６１の変形を規制することができる。
【００３５】
また、リレー取り外し治具１は、リレー２と収容部材３との係止を解除する係止解除部８を備えていることから、リレー２を取り外す際に、リレー２と収容部材３との係止を解除しつつリレー２を取り外すことができ、作業性をより向上させることができる。
【００３６】
また、リレー２が保持された状態で板状部材２２の上方に位置してリレー２の取り外し方向Ｙへの移動を規制する第一移動規制部９１及び第二移動規制部９２が設けられていることから、リレー取り外し治具１にリレー２をより確実に保持させることができ、リレー２を取り外す際の作業性をより向上させることができる。
【００３７】
また、把持部４は、幅方向Ｘにおいて、一対の保持部５の外側寸法よりも細く形成されていることから、一対の保持部５の外側寸法、すなわち、リレー２の外側寸法よりも内側において把持部４を把持することができ、狭い空間にリレー２が収容されている場合においても、リレー取り外し治具１を用いてリレー２を取り外すことができる。
【００３８】
なお、本発明は、前記実施形態に限定されるものではなく、本発明の目的が達成できる他の構成等を含み、以下に示すような変形等も本発明に含まれる。
【００３９】
例えば、前記実施形態においては、リレー取り外し治具１は、リレー２を取り外すための治具として用いられていたが、リレー取り外し治具１により保持することができる部品であれば、リレー２以外の部品の取り外し治具として用いてもよい。また、リレー２は収容部材３に係止されていなくてもよい。
【００４０】
また、上述した実施形態においては、保持解除部６は、撓み変形可能な二枚の保持解除部本体６１で構成されていたが、本発明の保持解除部は、弾性変形することにより端部５１が互いに離れる方向に一対の保持部５が変形してリレー２の保持を解除することができればよく、例えば、ばねや弾性材料を用いて構成されていてもよい。
【００４１】
また、上記変形規制部７は、保持解除部本体６１が過度に変形することによる塑性変形を防止して、弾性範囲内において変形するように、保持解除部本体６１が変形する幅を規制することができればよく、四角形状のほか、どのような形状に形成されていてもよい。
【００４２】
また、上述した実施形態においては、リレー取り外し治具１には、リレー取り外し治具１に保持されたリレー２の取り外し方向Ｙへの移動を規制する第一移動規制部９１及び第二移動規制部９２が設けられていたが、リレー２の取り外し方向Ｙへの移動を規制することができればよく、第一移動規制部９１及び第二移動規制部９２のうち少なくとも一方が設けられていればよい。
【００４３】
また、把持部４の長さは、リレー２の取り付け位置に応じた長さに形成することができる。例えば、収容部材３が奥まった位置に設けられている際には、把持部４の長さを長くすることにより、手が入らない位置にリレー２が収容されている場合においても、リレー２を取り外すことができる。
【００４４】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び目的の範囲から逸脱することなく、以上述べた実施形態に対し、形状、材質、数量、その他の詳細な構成において、当業者が様々な変形を加えることができるものである。
【００４５】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４６】
１      リレー取り外し治具（部品取り外し治具）
２      リレー（部品）
３      収容部材（収容部）
４      把持部
５      保持部
６      保持解除部
７      変形規制部
８      係止解除部（係止解除手段）
９      移動規制部
２４    係止突起（係止部）
５１    端部
５２    突出部
６１    保持解除部本体
９１    第一移動規制部
９２    第二移動規制部
【図１】
2015051486.tif 000003
【図２】
2015051486.tif 000004
【図３】
2015051486.tif 000005
【図４】
2015051486.tif 000006
【図５】
2015051486.tif 000007
【図６】
2015051486.tif 000008
【図７】
2015051486.tif 000009
【図８】
2015051486.tif 000010
【図９】
2015051486.tif 000011